(57)【要約】【課題】硬貨分離部と搬送ベルトとを取り囲む筐体の幅を狭くする。【解決手段】硬貨入金口６２と該硬貨入金口よりも下方に設けられた硬貨出金口６４とを前部に備える釣銭機に収納された硬貨の計数を補助する硬貨精査補助ユニットであって、硬貨出金口６４から放出された硬貨を一枚ずつ分離する硬貨分離部２５０，２５２，２５４と、硬貨分離部２５０，２５２，２５４により分離された硬貨を上方まで搬送する搬送ベルト２０２，２０４と、搬送ベルトにより搬送された硬貨を硬貨入金口６２まで放出するシュート部１０とを備え、搬送ベルト２０２，２０４の搬送方向は、水平成分が前記釣銭機の前後方向を向いていることを特徴とする。また、シュート部１０は、硬貨の進行方向が前後方向に対して垂直な水平成分を有する傾斜面を備えていることが好ましい。【選択図】図４
2015118672.tif 000002
【特許請求の範囲】
【請求項１】
硬貨入金口と該硬貨入金口よりも下方に設けられた硬貨出金口とを前部に備える釣銭機に収納された硬貨の計数を補助する硬貨精査補助ユニットであって、
前記硬貨出金口から放出された硬貨を一枚ずつ分離する硬貨分離部と、
前記硬貨分離部により分離された硬貨を上方まで搬送する搬送ベルトと、
前記搬送ベルトにより搬送された硬貨を前記硬貨入金口まで放出するシュート部とを備え、
前記搬送ベルトの搬送方向は、水平成分が前記釣銭機の前後方向を向いている
ことを特徴とする硬貨精査補助ユニット。
【請求項２】
請求項１に記載の硬貨精査補助ユニットにおいて、
前記シュート部は、前記硬貨の進行方向が前記前後方向に対して垂直且つ水平な左右方向成分を有する傾斜面を備えていることを特徴とする硬貨精査補助ユニット。
【請求項３】
請求項２に記載の硬貨精査補助ユニットにおいて、
前記硬貨入金口は、前記硬貨出金口に対して、後方側に配設されており、
前記傾斜面は、前記進行方向が前記前後方向の成分を有している
ことを特徴とする硬貨精査補助ユニット。
【請求項４】
請求項２又は請求項３に記載の硬貨精査補助ユニットであって、
前記硬貨分離部は、前記分離された硬貨を前記搬送ベルトに引き渡す分離ベルトと、終端部に前記分離ベルトが配設されている分離部傾斜面とを有し、
前記分離部傾斜面は、その進行方向が前記左右方向成分を有している
ことを特徴とする硬貨精査補助ユニット。
【請求項５】
請求項１乃至請求項４の何れか一項に記載の硬貨精査補助ユニットであって、
前記シュート部は、上下方向に移動可能であり、上昇方向に付勢する付勢部材が筐体に取り付けられており、
前記シュート部の降下時に、該シュート部の底部板材の縁と傾斜部とが当接することにより回動するシュートロックレバーを備え、
前記シュートロックレバーは、前記シュート部の降下完了時に、前記傾斜部と連続して形成された係止部が前記底部板材に係止するように付勢されていることを特徴とする硬貨精査補助ユニット。
【請求項６】
請求項５に記載の硬貨精査補助ユニットであって、
前記筐体に取り付けられた扉を施錠する施錠位置と該扉を開放する開放位置とが設定されているキーシリンダと、前記降下時のシュート部と前記シュートロックレバーとを接離可能にするシュートロックリンクとを備え、
前記シュートロックリンクは、前記施錠位置にあるとき、前記降下時のシュート部と前記シュートロックレバーとを接触又は近接させ、前記開放位置にあるとき、前記降下時のシュート部と前記シュートロックレバーとを離間させることを特徴とする硬貨精査補助ユニット。
【請求項７】
請求項６に記載の硬貨精査補助ユニットであって、
前記シュート部の下方に設けられ、該シュート部が所定量以上降下したときに、その移動に伴い上下移動するシュートリンクを備え、
前記シュートリンクは、前記開放位置にあるとき、前記シュートリンクの降下を規制することを特徴とする硬貨精査補助ユニット。
【請求項８】
請求項１乃至請求項７の何れか一項に記載の硬貨精査補助ユニットであって、
前記硬貨出金口の縁部を拘止する拘止部を先端に有した装着ロックレバーを備え、
前記装着ロックレバーは、その重心が回動支点よりも前記拘止部側にあり、前記拘止部の先端に前記縁部の角部に当接する傾斜面を有していることを特徴とする硬貨精査補助ユニット。
【発明の詳細な説明】
【技術分野】
【０００１】
本発明は、現金取扱装置で行われる硬貨の精査処理を補助する硬貨精査補助ユニット、及び、当該硬貨精査補助ユニットを用いて硬貨の精査処理を行う現金取扱装置に関する。
【背景技術】
【０００２】
従来から、スーパーやコンビニエンスストア等の販売店には、キャッシュレジスタの下部に釣銭機等の現金取扱装置が配置されている。このような現金取扱装置は、装置内部の現金の有高を金種別に計数する精査処理機能を有することが多い。
【０００３】
また、特許文献１には、釣銭機の下部に設けられた硬貨排出口から硬貨を取り込み、取り込んだ硬貨を搬送ベルトにより、硬貨を持ち上げ、持ち上げられた硬貨を釣銭機の硬貨投入口に放出する硬貨精査補助ユニットが記載されている。また、特許文献１には、この硬貨精査補助ユニットを操作者が釣銭機に装着し、釣銭機が硬貨を金種毎に硬貨排出口に排出し、硬貨精査補助ユニットが釣銭機の硬貨投入口に投入し、硬貨投入口から釣銭機が受け入れた硬貨を鑑別・計数し、装置内の硬貨の有高を精査することが記載されている。
【０００４】
また、特許文献２には、釣銭を大きさ順、もしくは金額順に重なった状態で出金することができる釣銭機が記載されている。このため、この釣銭機は、出金された釣り銭の金額を短時間で確認することができる。
【先行技術文献】
【特許文献】
【０００５】
【特許文献１】特開２０１３−２００６２３号公報
【特許文献２】特開２００１−３５１１３６号公報（段落００５４）
【発明の概要】
【発明が解決しようとする課題】
【０００６】
ところで、釣銭機は、搬送ベルトだけでなく重力を用いて、硬貨入金口から入金された硬貨が硬貨出金口まで出金するように構成されている。このため、硬貨出金口は、硬貨入金口よりも下方に設けられている。また、釣銭機は、操作者の手が硬貨出金口に入るように、硬貨入金口と硬貨出金口とは左右方向及び前後方向に離間している（図１Ｂ参照）。
このため、特許文献１に記載の硬貨精査補助ユニットは、硬貨を持ち上げるための搬送ベルトの搬送方向が釣銭機の前面に平行になっており、装置の幅寸法が大きくなっている。
【０００７】
また、釣銭機は、硬貨投入口の近傍に鑑別部が設けられており、その鑑別部の近傍となる硬貨投入口の下部に硬貨リジェクト口が配置されている。このため、硬貨精査補助ユニットを釣銭機に装着した状態では、釣銭機（特に、紙幣ユニットを除いた硬貨ユニット）の前面の大部分が覆われるため、精査中に操作者が硬貨リジェクト口にアクセスできないという問題があった。つまり、硬貨精査補助ユニットは、硬貨が投入され、投入された硬貨を一枚ずつ分離する硬貨分離部と搬送ベルトとを取り囲む筐体の幅が狭い方が好ましい。
【０００８】
なお、精査中に硬貨リジェクト口にアクセスできないと下記のような問題がある。
リジェクト硬貨が多く、リジェクト口の容量を超えた場合、釣銭機はリジェクト口の硬貨が取り除かれるまで、入金を受け付けないため、精査ユニットを取り外してリジェクト口の硬貨を取り除く必要がある。つまり、リジェクト硬貨が多い場合には、精査を中断しなければならない。
また、精査中に発生するリジェクトが１枚など少ない場合でも、リジェクト口の硬貨がすぐにキャッシュドロアなどに移し変えることが可能な方が、精査完了まで待つ必要がないため、使い勝手として望ましい。言い換えれば、リジェクトした硬貨は、精査の対象から外れるため、リジェクトしたことが分かった時点でキャッシュドロアなどに移し変えておきたいものである。つまり、リジェクトしたことが分かっているのに取り除けないと、操作者が煩わしさを感じてしまうものである。
【０００９】
そこで、本発明は、硬貨分離部と搬送ベルトとを取り囲む筐体の幅の狭い硬貨精査補助ユニットを提供することを目的とする。
【課題を解決するための手段】
【００１０】
前記目的を達成するため、本発明は、硬貨入金口と該硬貨入金口よりも下方に設けられた硬貨出金口とを前部に備える釣銭機に収納された硬貨の計数を補助する硬貨精査補助ユニットであって、前記硬貨出金口から放出された硬貨を一枚ずつ分離する硬貨分離部と、前記硬貨分離部により分離された硬貨を上方まで搬送する搬送ベルトと、前記搬送ベルトにより搬送された硬貨を前記硬貨入金口まで放出するシュート部とを備え、前記搬送ベルトの搬送方向は、水平成分が前記釣銭機の前後方向を向いていることを特徴とする。
【００１１】
本発明の硬貨精査補助ユニットは、硬貨入金口と硬貨出金口とが前後方向のみにズレている場合に筐体の幅が狭くなる。また、硬貨入金口と硬貨出金口とが左右方向にズレている場合には、前記シュート部は、前記硬貨の進行方向が前記前後方向に対して垂直且つ水平な左右方向成分を有する傾斜面を備えることにより、筐体の幅が狭くなる。また、硬貨入金口と硬貨出金口とが左右方向、及び前後方向にズレている場合には、さらに、シュート部の硬貨進行方向が左右方向成分を含む傾斜面を備えることにより、硬貨を上方まで搬送する搬送ベルトの搬送方向を釣銭機の前後方向を向けることが可能になる。
【発明の効果】
【００１２】
本発明によれば、硬貨分離部と搬送ベルトとを取り囲む筐体の幅を狭くすることができる。
【図面の簡単な説明】
【００１３】
【図１Ａ】本発明の第１実施形態である硬貨精査補助ユニットが装着される釣銭機（現金取扱装置）の前部の外観図である。
【図１Ｂ】本発明の第１実施形態である硬貨精査補助ユニットが装着される釣銭機（現金取扱装置）の被装着部の平面図である。
【図２】本発明の第１実施形態である硬貨精査補助ユニットが釣銭機に装着された状態を示す斜視図である。
【図３】本発明の第１実施形態である硬貨精査補助ユニットの前後を示す外観図である。
【図４】本発明の第１実施形態である硬貨精査補助ユニットが釣銭機に装着された状態を示す断面図である。
【図５Ａ】シュート部の平面図である。
【図５Ｂ】硬貨分離部の断面構造を示すための硬貨精査補助ユニットの一部断面図である。
【図６】本発明の第１実施形態である硬貨精査補助ユニットの扉を開放した状態を示す斜視図である。
【図７】キーリンクとシュート部のロック機構の構造を説明するための斜視図である。
【図８】キーリンクとシュート部のロック機構の施錠位置を示し、（ａ）は正面図であり、（ｂ）は側面図である。
【図９】キーリンクとシュート部のロック機構の開放位置を示し、（ａ）は正面図であり、（ｂ）は側面図である。
【図１０】シュート部が降下した状態のシュートリンクの機構図である。
【図１１】シュート部が上昇した状態のシュートリンクの機構図である。
【図１２】シュート部が上昇した状態の側面図と降下したときの側面図である。
【図１３】シャッターが開放した状態の硬貨出金口の断面図である。
【図１４】シュート部が降下した状態のシュートリンクとシュートリンクロックレバーとの関係を示し、ａ）は側面図であり、（ｂ）は斜視図である。
【図１５】シュート部が上昇した状態のシュートリンクとシュートリンクロックレバーとの関係を示し、（ａ）は側面図であり、（ｂ）は斜視図である。
【図１６】扉開放状態におけるキーリンクと解除レバーとの関係を示す構造図である。
【図１７】扉閉鎖状態におけるキーリンクと解除レバーとの関係を示す構造図である。
【図１８】装着ロックレバーによるロック状態を示す断面図である。
【図１９】装着ロックレバーによるアンロック状態を示す断面図である。
【発明を実施するための形態】
【００１４】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１５】
(第１実施形態)
図１Ａは、本発明の第１実施形態である硬貨精査補助ユニットが装着される釣銭機（現金取扱装置）の前部の外観図であり、図１Ｂは、本発明の第１実施形態である硬貨精査補助ユニットが装着される釣銭機（現金取扱装置）の被装着部の平面図である。
【００１６】
釣銭機は、スーパーやコンビニエンスストア等のキャッシュレジスタの下部に配置されるものである。
図１Ａに示すように、釣銭機５０は、硬貨入金口６２と、硬貨出金口６４と、硬貨リジェクト口６８と、操作部７０と、モード切替キー７５と、図示しない鑑別部及び収納庫と、を備えており、硬貨は硬貨入金口６２に投入され、鑑別部により鑑別された硬貨が金種毎に収納庫に収納され、収納庫に金種別に収納された硬貨が硬貨出金口６４に出金されるように構成されている。なお、釣銭機５０は、硬貨入金口６２と硬貨出金口６４と硬貨リジェクト口６８と操作部７０とモード切替キー７５とが備えられた側を前部といい、後部に鑑別部や収納庫等が配設されている。
【００１７】
硬貨入金口６２は、操作者により硬貨が投入される部位であり、釣銭機５０の前部の上面に設けられ、漏斗状に形成されている。硬貨出金口６４は、収納庫に収納されている硬貨が放出される部位であり、釣銭機の前部から突出している。また、硬貨リジェクト口６８は、鑑別部によりリジェクトされたリジェクト硬貨（再使用困難な不良硬貨）が排出される部位であり、釣銭機の前部から突出している。操作部７０は、各種設定や、表示を行う部位であり、モード切替キー７５は、金銭登録モードと精査モードとを切り換える部位である。
【００１８】
また、釣銭機５０は、これらの機能を実現するために、図示しない搬送ベルトだけでなく重力を用いているので、硬貨出金口６４、及び硬貨リジェクト口６８は、硬貨入金口６２よりも下方に取り付けられている。また、鑑別部は硬貨入金口６２の近傍に配置されており、硬貨リジェクト口６８は、この鑑別部の近傍に配置されている。このため、硬貨リジェクト口６８は、硬貨入金口６２の近傍に配置されている。
【００１９】
図１Ｂの平面図は、硬貨入金口６２と硬貨出金口６４と硬貨リジェクト口６８との位置関係を示している。つまり、釣銭機５０は、硬貨入金口６２の中心部と硬貨出金口６４の中心部とが左右方向、及び前後方向に離間している。この左右方向の離間距離Ｘ、及び前後方向の離間距離Ｙは、硬貨入金口６２に放出された釣り銭を取り出すときに、操作者の手が硬貨入金口６２に邪魔されないように設けられている。具体的には、左右方向の離間距離Ｘは８３ｍｍであり、前後方向の離間距離Ｙは５０ｍｍである。また、高さ方向のズレ量Ｚも１０５ｍｍある。なお、硬貨出金口６４は、下部に開口部が形成されており、シャッター６６が開閉可能に設けられている。
【００２０】
図２は、本発明の第１実施形態である硬貨精査補助ユニットが釣銭機に装着された状態を示す斜視図であり、図３は、本発明の第１実施形態である硬貨精査補助ユニットの外観図である。
図２に示すように、硬貨精査補助ユニット１０００は、釣銭機５０に装着される。硬貨入金口６２の下部に設けられている硬貨リジェクト口６８は、硬貨精査補助ユニット１０００の筐体２０に隠れることなく、操作者が精査中にもリジェクト硬貨を取り出せるように構成されている。つまり、硬貨入金口６２と硬貨出金口６４とを合わせて被装着部６０（図１Ａ）と称し、操作部７０、モード切替キー７５や硬貨リジェクト口６８は被装着部ではない。
【００２１】
図３に示すように、硬貨精査補助ユニット１０００は、シュート部１０とキーシリンダ１００と装着ロックレバー４０と扉３０と小扉３５と取っ手４６とスイッチレバー４２とシャッタレバー４４と筐体２０とを備え、シュート部１０が硬貨入金口６２に上部に配置され、硬貨出金口６４の下部にスイッチレバー４２とシャッタレバー４４とが配置されるように釣銭器５０に装着される。なお、シュート部１０は、釣銭機５０に装着されていない非装着状態が上昇状態であり、釣銭機５０に装着された装着状態で降下し、硬貨出金口６２（図１Ａ）と嵌合し、ロックするように構成されている。
【００２２】
キーシリンダ１００（図３）は、施錠位置と、この施錠位置から９０°右廻りに回動させた開放位置とが設定されている。施錠位置は、シュート部１０が降下可能となり、シュート部１０の降下完了により、シュート部１０がロックされる位置であり、扉３０がロック状態となる位置でもある。また、開放位置は、シュート部１０のロックが解除され、シュート部１０がシュート部用バネ１８０（図１１）の付勢力により、上昇状態になる位置である。また、キーシリンダ１００の開放位置は、扉３０がアンロック状態になり、磁石の磁力でのみ、扉３０が閉状態になる位置でもある。
【００２３】
扉３０は、図６に示すように、硬貨精査補助ユニット１０００内でジャムが発生した場合に、扉３０、及び小扉３５が開閉することができるような構造で配設されている。つまり、扉３０は、小扉３５が開放状態では、小扉３５の突起部３６が干渉するため、閉じられないようになっている。そのため、扉３０を閉じるためには、必ず小扉３５を閉じる必要がある。
【００２４】
図４は、本発明の第１実施形態である硬貨精査補助ユニットが釣銭機に装着された状態を示す断面図である。
硬貨精査補助ユニット１０００は、硬貨分離部２５０と、リバースローラ２５４と、シュート部１０と、収納部搬送ベルト２５２と、第１搬送ベルト２０２と、第２搬送ベルト２０４とを備えており、硬貨精査補助ユニット１０００が釣銭器５０に装着されることにより、シュート部１０と硬貨入金口６２とが接続され、硬貨分離部２５０と硬貨出金口６４とが接続される。ここで、収納部搬送ベルト２５２と、第１搬送ベルト２０２、及び第２搬送ベルト２０４とは、その搬送方向の水平成分が釣銭機５０の前後方向を向いている。なお、水平成分とは、硬貨精査補助ユニット１０００の左右方向、及び前後方向を含む面内の成分を意味する。
【００２５】
硬貨分離部２５０は、釣銭機５０の硬貨出金口６４から放出された硬貨を収納する空間であり、硬貨を取り込む取込口（図４）と、硬貨出金口６４から落下した硬貨を収納部搬送ベルト２５２の上流側まで滑落させる傾斜面（分離傾斜面）（図５Ｂ参照）とが形成されている。この分離傾斜面は、傾斜の水平成分が釣銭機５０の左右方向になるように形成されている。この分離傾斜面の左右方向の長さとシュート部１０の傾斜面の左右方向の長さは、略等しくすることが好ましく、釣銭機５０の硬貨入金口６２の中心部と硬貨出金口６４の中心部との左右方向の離間距離Ｘを分かち合うことができる。収納部搬送ベルト２５２は、傾斜が設けられており、下部の上流側に収納された硬貨を上部（下流側）の第１搬送ベルト２０２、及び第２搬送ベルト２０４まで搬送するものである。
【００２６】
リバースローラ２５４は、収納部搬送ベルト２５２の搬送方向に対して逆方向に回転し、２枚重ねられて搬送された硬貨（重走硬貨）の２枚目の硬貨を搬送方向上流側に戻す機能を有する。つまり、リバースローラ２５４は、硬貨を１枚ずつ分離する分離ローラとしての機能を有し、分離した硬貨を第１搬送ベルト２０２、及び第２搬送ベルト２０４まで引き渡す。
【００２７】
第１搬送ベルト２０２、及び第２搬送ベルト２０４は、互いに密着している密着面を有しており、この密着面で硬貨を挾持し、挾持された硬貨が上昇するように搬送する。また、第１搬送ベルト２０２、及び第２搬送ベルト２０４は、円弧状に配置された複数の搬送ローラ２０６により支持されている。このため、第１搬送ベルト２０２、及び第２搬送ベルト２０４は、その密着面（搬送面）が円弧状に形成されている。また、１対のローラ間のピッチ（ローラピッチ）は１枚の硬貨しか入らないようにしている。具体的には、硬貨搬送ピッチは、最小径の硬貨（具体的には、１円玉）以上の長さとしている。この硬貨搬送ピッチは、収納部搬送ベルト２５２と、第１搬送ベルト２０２及び第２搬送ベルト２０４との間で、速度差を設けることによって行っている。
【００２８】
このような硬貨精査補助ユニット１０００は、第１搬送ベルト２０２、及び第２搬送ベルト２０４の密着面（搬送面）が円弧状に形成されており、しかも、各ローラピッチ間に１枚の硬貨しか入らないように、硬貨搬送ピッチが設定されている。このため、硬貨精査補助ユニット１０００は、複数の硬貨が、第１搬送ベルト２０２、及び第２搬送ベルト２０４の密着面に進入しても、他の硬貨の厚みによって、硬貨が落下する程に、保持力が低下する箇所の発生を防止することができる。
【００２９】
シュート部１０は、第１搬送ベルト２０２、及び第２搬送ベルト２０４の密着面（搬送面）の下流部に設けられており、釣銭機５０の硬貨入金口６２まで滑落させる傾斜面を有している。この傾斜面は、図５Ａの平面図に示すように、進行方向の水平成分が、釣銭機５０の前後方向に対して、４５度傾斜している。つまり、この傾斜面は、進行方向の水平成分は、前後方向成分、及び前後方向に対して垂直な左右方向成分を有している。
【００３０】
図７は、キーリンクとシュート部ロック機構の斜視図である。
キーシリンダ１００は、鍵１０２が挿脱できるように構成されており、その外筒が筐体２０（図３）に固定されており、内筒には断面視コ字状（断面視略Ｕ字状）のキーリンク１１０が取り付けられている。キーリンク１１０は、回転軸体１１６ａにより軸支されており、キーシリンダ１００の反対側の面には、回転軸体１１６ａを中心に２つの支軸１１２，１１４が固定されている。扉ロックレバー１２０は、扉ロックレバー固定具１２５により回動可能に固定された略Ｌ字状の板金部材である。扉ロックレバー１２０は、回動軸が筐体前面に平行であり、且つ、回転軸体１１６ａに平行になっている。扉ロックレバー１２０は、一端に、扉３０に係止する逆Ｌ字状の扉係止部１２１が設けられており、他端には、一方の支軸１１４が挿通する長孔１２４が開口している。
【００３１】
シュートロックレバー１３０は、側面視が逆Ｌ字状であり、正面視で上端に傾斜部１３２が設けられており、傾斜部１３２の下端が逆Ｌ字状の係止部（ロック部）になっている。シュートロックレバー１３０は、下端側が回転軸体１１６ｂを介してシュートロックリンク１２６に軸支されている。シュートロックリンク１２６は、先端に回転軸体１１６ｂが挿通される孔が開口されており、後端側に支軸１１２が挿通する長孔１２７が開口している。この回転軸体１１６ｂは、回転軸体１１６ａと平行、且つ鉛直線上に設けられている。
【００３２】
また、シュートロックレバー１３０とシュートロックリンク１２６とは、シュート部１０（図３，４）の方向に付勢力を付与するように回転軸体１１６ｂの部分にバネ１３６が設けられている。なお、シュートロックリンク１２６は、回転軸体１１６ｂの方向に延在する延在部１２６ａが形成されており、シュートロックレバー１３０の回動を規制する。この規制により、シュートロックリンク１２６とシュートロックレバー１３０とは直線状になる。
【００３３】
図８は、キーリンクとシュート部のロック機構の施錠位置を示す正面図、及び側面図である。
施錠位置においては、２つの支軸１１２，１１４が略鉛直方向を向き、シュートロックリンク１２６、及びシュートロックレバー１３０も鉛直方向になる。これにより、シュート部１０（図３）が降下している途中では、シュート部１０の底面の板材の縁部（被係止部１２（図１０））が傾斜部１３２を滑るようにシュートロックレバー１３０を回動させ、シュート部１０の降下が完了すると、シュートロックレバー１３０の係止部１３４と被係止部１２とが係止し、シュート部１０のロックが完了する。
【００３４】
また、施錠位置において、扉ロックレバー１２０は、略水平状態となり、扉係止部１２１が扉３０の扉被係止部１２２（図６）と係止する。これにより、キーシリンダ１００の施錠状態では、扉３０、及び小扉３５はロックがかかり、精査中に扉３０、及び小扉３５を開放することができなくなる。つまり、操作者は、精査中の現金にアクセスすることができない。
【００３５】
図９は、キーリンクとシュート部のロック機構の開放位置を示す正面図、及び側面図である。
鍵１０２（図７）を９０度右方向に回動させると、２つの支軸１１２，１１４（図７）が長孔１２４，１２７（図７）を移動し、略水平方向を向き、キーシリンダ１００が開放位置になる。つまり、支軸１１２，１１４の位置が９０度回動し、シュートロックリンク１２６、及びシュートロックレバー１３０が鉛直方向から傾斜し、シュートロックレバー１３０とシュート部１０とは、接触状態（近接状態）から離間状態になる。これにより、シュートロックレバー１３０の係止部１３４とシュート部１０の被係止部１２とのロックが外れる（アンロック状態）。このとき、シュートロックリンク１２６の延在部１２６ａがシュートロックレバー１３０の回動を阻止している。また、扉ロックレバー１２０が略水平方向から傾斜し、扉係止部１２１と扉被係止部１２２とのロックが外れる。なお、扉３０は、磁石が設けられており、アンロック状態では磁力でのみ閉状態を維持するようになっている。
【００３６】
図１０は、シュート部が降下した状態のシュートリンクの機構図である。
図１０に示すシュートリンクＡＳＳＹは、シュートリンク１４０と、接続リンク１６０と、スライドリンク１７０と、シュートリンク用バネ１８５とを備えている。
シュートリンク１４０は、両端に２つの長孔１４０ａ，１４０ｂが開口している細長い板材であり、これらの長孔１４０ａ，１４０ｂが２つの固定支軸により、鉛直方向に移動可能に支持されている。シュートリンク１４０は、その上端部が直角三角状に形成されており、一辺がシュート部１０の下面により押圧される。スライドリンク１７０は、両端に２つの長孔１７０ａ，１７０ｂが開口している細長い板材であり、これらの長孔１７０ａ，１７０ｂが２つの固定支軸により、鉛直方向に移動可能に支持されている。接続リンク１６０は、一端がシュートリンク１４０の下端部に軸支され、他端がスライドリンク１７０の上端部に軸支されている。シュートリンク用バネ１８５は、一端が筐体２０に固定され、他端がスライドリンク１７０の下端部に固定されており、スライドリンク１７０を下方に付勢している。
【００３７】
操作者は、キーシリンダ１００を施錠位置にした状態で、シュート部１０を降下させる。これにより、シュート部１０の下端部後方とシュートリンク１４０の上端部とが当接し、シュートリンク１４０が降下する。このシュートリンク１４０の降下に伴い、接続リンク１６０が傾斜し、スライドリンク１７０が上昇する。また、スライドリンク１７０は、上部にスイッチレバー４２と、シャッタレバー４４とが設けられている。つまり、図１２（ａ）のように、操作者がシュート部１０を降下させると、スイッチレバー４２とシャッタレバー４４とが筐体２０から突出する。
【００３８】
図１３は、シャッターが開放した状態の硬貨出金口の断面図である。
硬貨出金口６４は、その下部に開口部が設けられており、その開口部にシャッター６６が開閉自在に設けられており、硬貨出金口６４の前面側の側壁部には、マイクロスイッチが収容されている。閉鎖されているシャッター６６は、その質量のため、シャッタレバー４４の上昇を制限し、シュート部１０の押し下げに違和感を与える。この違和感を契機として、操作者は手でシャッター６６を押し上げる。そして、操作者は、再び、シュート部１０を降下させ、降下が完了すると、スイッチレバー４２も上昇が完了し、マイクロスイッチの導通／遮断を遷移させる。
【００３９】
図１１は、シュート部が上昇した状態のシュートリンクの機構図である。
シュート部１０は、付勢手段であるシュート部用バネ１８０により、上昇方向に付勢されている。また、スライドリンク１７０は、シュートリンク用バネ１８５により、下方に付勢されている。このため、シュート部１０が上昇した状態（図１２（ｂ）参照）では、スライドリンク１７０が下方に移動し、シュートリンク１４０が上方に移動する。しかしながら、シュート部１０の上昇量がシュートリンク１４０の移動量よりも大きいので、シュート部１０は、シュート部１０の後方下端部とシュートリンク１４０の上端部とが離間する離間状態となる。また、スライドリンク１７０が下方に移動するので、スイッチレバー４２、及びシャッタレバー４４は筐体２０の内部に収納された状態になる（図１２（ｂ）参照）。
【００４０】
図１４は、シュート部が降下した状態のシュートリンクとシュートリンクロックレバーとの関係を示す図であり、図１５は、シュート部が上昇した状態のシュートリンクとシュートリンクロックレバーとの関係を示す図である。
キーリンク１１０の回転軸体１１６ａには、断面視コ字状（断面視Ｕ字状）のシュートリンク規制部材としてのシュートリンクロックレバー１５０が回動自在に設けられている。キーリンク１１０は、その回転軸体１１６ｂから延在した延在部を有し、その延在部の側壁とシュートリンクロックレバー１５０の側壁とが当接するようになっている。この当接した部位を当接部という。
【００４１】
図１５に示すように、シュート部１０が上昇した状態であり、且つ、キーシリンダ１００が開放位置になっているときには、シュートリンクロックレバー１５０が自重により、回動し、シュートリンク１４０の長尺方向中間部に設けられた係止部１４５（図１０，１１）とシュートリンクロックレバー１５０の側壁とが係止する。つまり、この係止状態では、シュートリンクロックレバー１５０の側壁が係止部１４５の軌跡方向に存在するので、シュートリンク１４０は上昇状態から降下することができない。つまり、シュートリンク１４０は、キーシリンダ１００の開放位置において、シュート部１０の所定量以上の降下を規制する降下規制部材として機能する。
【００４２】
一方、図１４に示すように、シュート部１０が降下した状態では、キーシリンダ１００は、施錠位置になっている。この施錠位置では、キーリンク１１０の延在部とシュートリンクロックレバー１５０とが当接し、シュートリンクロックレバー１５０の回動を制限している。このため、シュートリンク１４０の係止部１４５は、シュートリンクロックレバー１５０と回転軸体１１６ｂとの間に形成された開口部を上限として、その下方を上下移動することができる。
【００４３】
図１６は、扉開放状態におけるキーリンクと解除レバーとの関係を示す構造図であり、図１７は、扉閉鎖状態におけるキーリンクと解除レバーとの関係を示す構造図である。
図１６，１７に示すように、硬貨精査補助ユニット１０００は、キーリンク１１０に垂直、且つ水平に解除レバー１９０が設けられている。解除レバー１９０は、略円柱状体であり、中間部に周回凸部１９０ａが形成されており、一端部に断面視コ字状（断面視Ｕ字状）の切り欠き部１９０ｂが形成されている。また、解除レバー１９０は、一端が周回凸部１９０ａに係止されるようにコイルバネが挿入されており、（ｃ）に示す矢印の方向（扉３０側）に付勢されている。
【００４４】
扉開放状態（図１６）では、解除レバー１９０は、コイルバネにより、キーシリンダ１００と反対側に付勢され、一端部がキーリンク１１０と当接し、キーシリンダ１００の内筒の回動を規制する。このため、キーシリンダ１００は、施錠位置にすることができない。つまり、扉３０を開放した状態で、精査を始めることができない。ここで、キーリンク１１０にも凹部１１８が形成されており、解除レバー１９０を手で押し込んでも、凹部１１８が回動する軌跡上で、凹部１１８と解除レバー１９０の一端部とが当接するようになっている。
【００４５】
一方、扉閉鎖状態（図１７）では、解除レバー１９０の他端が扉３０の内面側に設けられた解除レバー押圧部１９１（図６）に当接し、解除レバー１９０がキーリンク１１０の方向に押し込まれる。この押し込まれた状態では、解除レバー１９０に形成された切り欠き部１９０ｂとキーリンク１１０に形成された凹部１１８とが対向し、互いに当接することがない。施錠位置の状態で扉３０を閉めれば、キーシリンダ１００は、施錠位置にも開放位置にもすることができる。また、施錠位置から開放位置まで鍵１０２を廻すことにより、扉ロックレバー１２０（図８）と扉係止部１２１との係止が外れ、扉閉鎖状態から扉開放状態にすることができる。これにより、ジャムの除去を行うことができる。
【００４６】
図１８は、装着ロックレバーによるロック状態を示す断面図であり、図１９は、装着ロックレバーによるアンロック状態を示す断面図である。
硬貨精査補助ユニット１０００は、装着ロックレバー４０が設けられており、装着ロックレバー４０は、釣銭機５０に装着されたときに、硬貨精査補助ユニット１０００と釣銭機５０の硬貨出金口６４の縁部とを固定する。装着ロックレバー４０は、先端部に内面Ｕ字状のロック部４０ｂを設け、後端部に逆Ｌ字状の操作部４０ａを設け、回動支点４０ｃを中心に回動するように構成されている。
【００４７】
また、ロック部４０ｂは、先端部の下部に傾斜面が形成されており、硬貨精査補助ユニット１０００を釣銭機５０に装着するときに、該傾斜面と硬貨出金口６４の縁部の角とが当接して、ロック部４０ｂを徐々に押し上げ、装着ロックレバー４０が図面左方向に回動する。そして、完全に釣銭機５０に装着されたときには、装着ロックレバー４０の重心が回動支点４０ｃよりもロック部４０ｂ側にあるので、装着ロックレバー４０が図面右回転方向に回動し、ロック部４０ｂが硬貨出金口６４の縁部をロック（拘止）する。これにより、硬貨精査補助ユニット１０００は釣銭機５０からの落下が防止される。
【００４８】
図１９に示すアンロック状態にするには、操作者が装着ロックレバー４０の操作部４０ａを押し下げ、装着ロックレバー４０を図面左回転方向に回動させ、硬貨出金口６４とのロック（拘止）を解除する。
【００４９】
（動作の説明）
（１）釣銭機装着前
釣銭機５０への装着前においては、キーシリンダ１００は開放位置であり（図９）、且つ、シュート部１０が上昇位置にされた状態である（図１２（ｂ））。このとき、キーシリンダ１００が開放位置であるので、シュート部１０は、シュートリンクロックレバー１５０により上昇位置でロックされている（図１５）。なお、扉３０が閉鎖されていれば、解除レバー１９０は、キーシリンダ１００を施錠位置にすることを規制しない（図１７参照）。
【００５０】
（２）次に、操作者は、キーシリンダ１００に鍵１０２を挿入し、施錠位置まで回動させる。これにより、扉ロックレバー１２０が、略水平になり（図８参照）、扉係止部１２１が扉被係止部１２２（図６）に係止する。また、施錠位置にすることにより、シュートロックレバー１３０（図８）は、鉛直方向になり、シュート部１０に接近する。ところで、キーシリンダ１００は、施錠位置でも鍵１０２を抜くことができるものである。精査補助ユニット１０００にストラップが繋がった鍵１０２が挿入されていては煩わしいため、通常、施錠位置で、鍵は抜いておくことが好ましい。なお、この状態では、シュート部１０は上昇したままである。
【００５１】
（３）釣銭機５０に装着する。
装着ロックレバー４０は、ロック部４０ｂの傾斜面が硬貨出金口６４の縁部に当接し、徐々に回動し、装着の完了により、ロック部４０ｂが硬貨出金口６４の縁部を自動ロックする（図１８参照）。
（４）硬貨出金口６４のシャッター６６（図１３）を操作者が押し上げる。
【００５２】
（５）操作者は、シュート部用バネ１８０（図１０（ａ），図１１（ａ））の付勢力に対抗して、シュート部１０を下方に押し込む。
この押し込みにより、シュート部１０は、シュートロックレバー１３０の傾斜部１３２に沿って降下し（図８参照）、硬貨入金口６２（図１Ａ）と嵌合する。そして、降下が完了すると係止部１３４と被係止部１２（図１０）とが係止（ロック）する。また、シュート部１０を下方に押し込むことにより、シュート部１０の下端部後方とシュートリンク１４０の上端部とが当接し、シュートリンク１４０が降下する（図１０参照）。シュートリンク１４０の降下に伴い、スライドリンク１７０が上昇し（図１０）、スイッチレバー４２、及びシャッタレバー４４が硬貨分離部２５０の上面から突出する（図１２（ａ））。
【００５３】
この突出により、スイッチレバー４２は、硬貨出金口６４の側壁部に収容されたマイクロスイッチ（図１３）の導通／遮断を遷移させ、釣銭機５０は、硬貨精査補助ユニット１０００の装着完了を検出する。逆に言えば、シュート部１０が上昇した状態では、マイクロスイッチを遷移させることができないので、精査を始めることができない。なお、操作者が硬貨出金口６４のシャッター６６を押し上げることなく、操作者がシュート部１０を下に押し込んだときには、シャッタレバー４４がシャッター６６に当接し、操作者はシュート部１０を押し下げたときに違和感を感じる。
【００５４】
（６）精査（モード切替キーの操作）
操作者はモード切替キー７５（図１Ａ、図２）を精査モードに切り換え、ＰＯＳレジから精査コマンドを釣銭機５０に送る。モード切替キー７５は、硬貨精査補助ユニット１０００の筐体２０に隠れていないので、硬貨精査補助ユニット１０００を釣銭機５０に装着するまえにモードを切り替える必要がない。この点、特許文献１に記載の硬貨精査補助ユニットは、モード切替キー７５を含めて釣銭機５０の前面の大部分を覆い隠してしまい、硬貨精査補助ユニットの装着とモード切り替えとの間で順番ができてしまう煩雑さがあった。
【００５５】
精査コマンドにより、釣銭機５０の制御部（ＣＰＵ）は精査を実行する。つまり、釣銭機５０は、収容部に収容された硬貨を金種別に硬貨出金口６４に放出する。一方、硬貨精査補助ユニット１０００は、収納部搬送ベルト２５２、及びリバースローラ２５４により、釣銭機５０が硬貨分離部２５０に放出した金種別の硬貨を一枚ずつ分離し、分離された硬貨を第１搬送ベルト２０２、及び第２搬送ベルト２０４が上方に搬送し、上方に搬送された硬貨をシュート部１０が釣銭機５０の硬貨入金口６２に放出する。そして、釣銭機５０は、放出された硬貨を硬貨入金口６２が回収し、鑑別部がリジェクト硬貨か否かを鑑別しつつ、回収された硬貨を金種別に計数する。これにより、釣銭機５０は、収容部に収容された硬貨の数を計数する。
【００５６】
（７）キーシリンダ１００を開放位置にする。
操作者は、再び、キーシリンダ１００に鍵１０２を挿入し、キーシリンダ１００を開放位置にする。これにより、シュートロックレバー１３０とシュート部１０とは離間し（図９）、シュートロックレバー１３０の係止部１３４とシュート部１０の被係止部１２（図１０）との係止が外れる。これにより、シュート部１０は、シュート部用バネ１８０（図１１）による付勢力により上昇する。この上昇に伴い、シュートリンク用バネ１８５の付勢力により、シュートリンク１４０が上昇すると共に、スライドリンク１７０が降下する（図１１）。また、扉３０は、扉被係止部１２２と扉係止部１２１との係止が外れ、アンロックする（図９）。また、スライドリンク１７０の降下に伴い、スイッチレバー４２、及びシャッタレバー４４が降下する（図１１）。
【００５７】
（８）操作者が装着ロックレバー４０の操作部４０ａを下方に押し込むことにより、ロック部４０ｂが上がり（図１９）、操作者は釣銭機５０から硬貨精査補助ユニット１０００を引き出すことができる。
【００５８】
仮に、キーシリンダ１００を開放位置にすると、シュート部１０を下へ押し込んでもシュート部１０は下がった状態でロックがかからず、扉３０は、開放可能である。
【００５９】
なお、精査中にジャムが発生した場合は、鍵１０２にてキーシリンダ１００を開放位置にすると、扉３０のロックが外れ、扉３０を開放することが可能となる。ジャム除去のため、扉３０を開放し、必要に応じて、小扉３５（図６）も開放してジャム除去を行う。ジャム除去の際、シュート部１０は上昇した状態で、スイッチレバー４２は下がった状態ではあるが、装着ロックレバー４０がロックされた状態のため、硬貨精査補助ユニット１０００は、釣銭機５０から落下する危険がなく安全である。言い換えれば、装着ロックレバー４０は、ジャム除去時に、釣銭機５０から落下しないようにするために実装されている。
【００６０】
（変形例）
本発明は前記した実施形態に限定されるものではなく、例えば以下のような種々の変形が可能である。
（１）前記第１実施形態は、シュート部１０の傾斜面の硬貨進行方向を前後方向から４５°傾斜させて、且つ、硬貨出金口６４から収納部搬送ベルト２５２の上流側まで硬貨が滑落するように硬貨分離部に傾斜面を設け、傾斜面の硬貨進行方向を左右方向にした。しかしながら、硬貨分離部に傾斜面を設けずに、硬貨出金口６４から収納部搬送ベルト２５２の上流側まで硬貨を落下させることができる。
【００６１】
また、釣銭機５０は、硬貨入金口６２と硬貨出金口６４との間に前後方向のズレＹがあったので、第１実施形態においては、シュート部１０の傾斜面の硬貨進行方向を前後方向から４５°傾斜させたが、前後方向のズレＹが無ければ、左右方向のみの傾斜であってもよい。また、釣銭機５０は、硬貨入金口６２と硬貨出金口６４との間に左右方向のズレＸがあったが、この左右方向のズレがなく、前後方向のズレＹが操作性に問題が無い程度に大きな値であれば、硬貨分離部、及びシュート部１０に傾斜面を設ける必要が無い。
【００６２】
（２）前記第１実施形態は、装着ロックレバー４０の操作部４０ａを手で押し下げるように構成したが、装着ロックレバー４０と取っ手４６とをリンク機構で接続することにより、取っ手を把持することで、装着ロックレバー４０のロックを解除できるようにすることができる。
【００６３】
（３）前記第１実施形態は、接続リンク１６０を用いて、シュートリンク１４０の上昇／下降に合わせて、スライドリンク１７０を下降／上昇させたが（図１０，１１）、回動に伴ってマイクロスイッチを差動させるレバーをキーリンク１１０に設けることもできる。これによれば、スイッチレバー４２、及びシャッタレバー４４を下降／上昇させる必要が無くなり、付勢する付勢部材でシュートリンク１４０のみを上方に付勢させることができる。これによっても、係止部１４５とシュートリンクロックレバー１５０（図１５）の側壁とを係止させることができるので、シュートリンク１４０を降下規制部材として機能させることができる。
（４）前記第１実施形態は、釣銭機のみならず、その他の硬貨処理機に用いることもできる。
【符号の説明】
【００６４】
１０  シュート部
１２  被係止部
２０  筐体
３０  扉
３５  小扉
３６  突起部
４０  装着ロックレバー
４０ａ  操作部
４０ｂ  ロック部（拘止部）
４０ｃ  回動支点
４２  スイッチレバー
４４  シャッタレバー
４６  取っ手
５０  釣銭機（現金取扱装置）
６０  被装着部
６２  硬貨入金口
６４  硬貨出金口
６４ａ  角部
６６  シャッター
６８  硬貨リジェクト口
７０  操作部
７５  モード切替キー
１００  キーシリンダ
１０２  鍵
１１０  キーリンク
１１２，１１４  支軸
１１６ａ，１１６ｂ  回転軸体
１１８  凹部
１２０  扉ロックレバー
１２１  扉係止部
１２２  扉被係止部
１２４  長孔
１２５  扉ロックレバー固定具
１２６  シュートロックリンク
１２６ａ  延在部
１２７  長孔
１３０  シュートロックレバー
１３２  傾斜部
１３４  係止部
１４０  シュートリンク（降下規制部材）
１４５  係止部
１４７  傾斜部
１５０  シュートリンクロックレバー
１６０  接続リンク
１７０  スライドリンク
１８０  シュート部用バネ
１８５  シュートリンク用バネ
１９０  解除レバー
１９０ａ  周回凸部
１９０ｂ  切り欠き部
１９１  解除レバー押圧部
２００  搬送部
２０２  第１搬送ベルト
２０４  第２搬送ベルト
２０６  搬送ローラ
２５０  硬貨分離部
２５２  収納部搬送ベルト
２５４  リバースローラ
２６０  駆動モータ
１０００  硬貨精査補助ユニット
【図１Ａ】
2015118672.tif 000003
【図１Ｂ】
2015118672.tif 000004
【図２】
2015118672.tif 000005
【図３】
2015118672.tif 000006
【図４】
2015118672.tif 000007
【図５Ａ】
2015118672.tif 000008
【図５Ｂ】
2015118672.tif 000009
【図６】
2015118672.tif 000010
【図７】
2015118672.tif 000011
【図８】
2015118672.tif 000012
【図９】
2015118672.tif 000013
【図１０】
2015118672.tif 000014
【図１１】
2015118672.tif 000015
【図１２】
2015118672.tif 000016
【図１３】
2015118672.tif 000017
【図１４】
2015118672.tif 000018
【図１５】
2015118672.tif 000019
【図１６】
2015118672.tif 000020
【図１７】
2015118672.tif 000021
【図１８】
2015118672.tif 000022
【図１９】
2015118672.tif 000023